(57)【要約】【課題】食虫植物模型としての外観を損なわず食虫植物の動きに似た動作を行う食虫植物模型を提供すること。【解決手段】食虫植物模型２は、茎部２０と、枢軸部３２を挟んで配される一対の葉片部３３を有する断面略Ｖ字状の葉部３０を備える。葉部３０の外形形状に合わせて葉部３０の内部に蝶番３５が配される。蝶番３５は、葉部３０の枢軸部３２に対応する固定軸部５１と、固定軸部５１に連結され、一対の葉片部３３の内部に位置する一対のプレート部５２を備える。一対のプレート部５２は、固定軸部５１を回転軸として回動することにより互いのなす角度が変化する。一対のプレート部５２に、茎部２０の内部を通る線状部材３８が連結される。線状部材３８は、制御回路１００により、一対のプレート部５２に対して閉方向への付勢力を印加する動作が制御される。【選択図】図１
2011128444.tif 000002
【特許請求の範囲】
【請求項１】
茎部と、
該茎部の先端に配される葉部であって、枢軸部と該枢軸部を挟んで配される一対の葉片部とを有する断面略Ｖ字状の葉部と、
該葉部の外形形状に合わせて該葉部の内部に配される蝶番であって、前記葉部の枢軸部に対応する固定軸部と、該固定軸部に連結され、前記一対の葉片部の内部に位置する一対のプレート部であって、前記固定軸部を回転軸として回動することにより互いのなす角度が変化する一対のプレート部とを有する蝶番と、
前記一対のプレート部に連結されて前記茎部の内部を通る線状部材であって、制御回路により、前記一対のプレート部に対して閉方向への付勢力を印加する動作が制御される線状部材と、
を備えることを特徴とする食虫植物模型。
【請求項２】
前記一対の葉片部の各々の内部に位置する導電性部材であって、棘挿通孔を有する導電性部材と、
前記棘挿通孔内を前記導電性部材と接触しないように通り、前記一対の葉片部の互いに対向する側の面から突出するよう設けられる弾性変形可能な棘部材であって、弾性変形したとき前記導電性部材と接触し得る導電性弾性部材からなる棘部材と、
を備え、
前記制御回路は、前記棘部材が外部荷重により弾性変形して前記導電性部材と接触したことを検出すると、前記一対のプレート部に対し閉方向への付勢力を印加するよう前記線状部材の動作を制御することを特徴とする請求項１に記載の食虫植物模型。
【請求項３】
前記線状部材は、ループ部と、該ループ部から延びる線部とを有し、前記ループ部は、前記一対のプレート部の各々に穿設された線挿通孔と各プレート部における茎部寄りの端部とを経由するループを描き、前記線部は、前記ループ部の下端部と結線されることを特徴とする請求項１又は２に記載の食虫植物模型。
【請求項４】
前記線部の端部であって、前記ループ部側に位置しない端部は、固定されていると共に、前記線部の少なくとも一部は、通電により収縮する可変長部により構成され、該可変長部が収縮することに基づき、前記ループ部により、前記一対のプレート部に対し閉方向への付勢力が印加されることを特徴とする請求項３に記載の食虫植物模型。
【請求項５】
前記制御回路は、前記棘部材が外部荷重により弾性変形して前記導電性部材と接触したことを検出すると、前記線状部材の前記可変長部に対して通電を行い、前記可変長部を収縮させることを特徴とする請求項４に記載の食虫植物模型。
【請求項６】
前記可変長部への通電は、前記棘部材と前記導電性部材とが第１回目に接触した第１時点から第１所定時間が経過する前に前記棘部材と前記導電性部材との接触状態が解除されること、及び、前記第１回目の接触が終了した第２時点から第２所定時間が経過する前に前記棘部材と前記導電性部材とが第２回目の接触をすることを条件とし、前記棘部材と前記導電性部材とが前記第２回目の接触をした第３時点で開始されることを特徴とする請求項５に記載の食虫植物模型。
【請求項７】
前記可変長部への通電は、前記第３時点から第３所定時間が経過した第４時点で停止することを特徴とする請求項６に記載の食虫植物模型。
【請求項８】
前記可変長部への通電は、前記第３時点から前記第４時点までの間において、電流値が減少することを特徴とする請求項７に記載の食虫植物模型。
【請求項９】
前記第４時点以後において、前記第３時点から第４所定時間が経過するまでの間、前記可変長部への通電は行わないことを特徴とする請求項８に記載の食虫植物模型。
【請求項１０】
前記制御回路は、所定のタイミングで音声発生装置から外部に向けて所定の音声を発生させることを特徴とする請求項１〜９のいずれかに記載の食虫植物模型。
【請求項１１】
前記葉部に発光ダイオードを配設し、前記制御回路は、所定のタイミングで、前記発光ダイオードを発光させることを特徴とする請求項１〜１０のいずれかに記載の食虫植物模型。
【請求項１２】
上方へ開口した鉢体と、該鉢体の開口部を塞ぐよう鉢体に付設され、茎挿通孔を有する蓋体と、該蓋体の前記茎挿通孔を通り上方へ延びて配される食虫植物模型と、前記蓋体で塞がれた鉢体の内部に配置され、前記食虫植物模型の動作を制御する制御回路とを備える食虫植物鉢植え模型であって、
前記食虫植物模型は、
前記蓋体の前記茎挿通孔内を通り上方へ延びる茎部と、
該茎部の先端に配される葉部であって、枢軸部と該枢軸部を挟んで配される一対の葉片部とを有する断面略Ｖ字状の葉部と、
該葉部の外形形状に合わせて該葉部の内部に配される蝶番であって、前記葉部の枢軸部に対応する固定軸部と、該固定軸部に連結され、前記一対の葉片部の内部に位置する一対のプレート部であって、前記固定軸部を回転軸として回動することにより互いのなす角度が変化する一対のプレート部とを有する蝶番と、
前記一対のプレート部に連結されて前記茎部の内部を通る線状部材であって、前記一対のプレート部に対して閉方向への付勢力を印加し得る線状部材と、
前記一対の葉片部の各々の内部に位置する導電性部材であって、棘挿通孔を有する導電性部材と、
前記棘挿通孔内を前記導電性部材と接触しないように通り、前記一対の葉片部の互いに対向する側の面から突出するよう設けられる弾性変形可能な棘部材であって、弾性変形したとき前記導電性部材と接触し得る導電性弾性部材からなる棘部材と、
を備え、
前記制御回路は、前記棘部材が外部荷重により弾性変形して前記導電性部材と接触したことを検出すると、前記一対のプレート部に対して閉方向への付勢力を印加するよう前記線状部材の動作を制御する
ことを特徴とする食虫植物鉢植え模型。
【請求項１３】
前記食虫植物模型は複数個からなり、前記制御回路は、各々の食虫植物模型の動作を制御することを特徴とする請求項１２に記載の食虫植物鉢植え模型。
【請求項１４】
前記線状部材は、ループ部と、該ループ部から延びる線部とを有し、前記ループ部は、前記一対のプレート部の各々に穿設された線挿通孔と各プレート部における茎部寄りの端部とを経由するループを描き、前記線部は、前記ループ部の所定の線分であって、一方のプレート部の前記端部から茎部側に延びて他方のプレート部の前記端部まで至る線分と、結線されることを特徴とする請求項１２又は１３に記載の食虫植物鉢植え模型。
【請求項１５】
前記線部の端部であって、前記ループ部側に位置しない端部は、固定されていると共に、前記線部の少なくとも一部は、通電により収縮する可変長部により構成され、該可変長部が収縮することによって、前記一対のプレート部に対し閉方向への付勢力が印加されることを特徴とする請求項１４に記載の食虫植物鉢植え模型。
【請求項１６】
前記制御回路は、前記棘部材が外部荷重により弾性変形して前記導電性部材と接触したことを検出すると、前記線状部材の前記可変長部に対して通電を行い、前記可変長部を収縮させることを特徴とする請求項１５に記載の食虫植物鉢植え模型。
【請求項１７】
前記可変長部への通電は、前記棘部材と前記導電性部材とが第１回目に接触した第１時点から第１所定時間が経過する前に前記棘部材と前記導電性部材との接触状態が解除されること、及び、前記第１回目の接触が終了した第２時点から第２所定時間が経過する前に前記棘部材と前記導電性部材とが第２回目の接触をすることを条件とし、前記棘部材と前記導電性部材とが前記第２回目の接触をした第３時点で開始されることを特徴とする請求項１６に記載の食虫植物鉢植え模型。
【請求項１８】
前記可変長部への通電は、前記第３時点から第３所定時間が経過した第４時点で停止することを特徴とする請求項１７に記載の食虫植物鉢植え模型。
【請求項１９】
前記可変長部への通電は、前記第３時点から前記第４時点までの間において、電流値が減少することを特徴とする請求項１８に記載の食虫植物鉢植え模型。
【請求項２０】
前記第４時点以後において、前記第３時点から第４所定時間が経過するまでの間、前記可変長部への通電は行わないことを特徴とする請求項１９に記載の食虫植物鉢植え模型。
【請求項２１】
前記線状部材の前記可変長部は、前記食虫植物模型の個数と同数の保持板であって、前記鉢体の内部に等間隔で垂直配置された保持板の面上に配されることを特徴とする請求項１５〜２０のいずれかに記載の食虫植物鉢植え模型。
【請求項２２】
前記鉢体の内部に音声発生装置を備え、
前記制御回路は、所定のタイミングで前記音声発生装置から外部に向けて所定の音声を発生させることを特徴とする請求項１２〜２１のいずれかに記載の食虫植物鉢植え模型。
【請求項２３】
前記葉部に発光ダイオードを配設し、
前記制御回路は、所定のタイミングで、前記発光ダイオードを発光させることを特徴とする請求項１２〜２２のいずれかに記載の食虫植物鉢植え模型。
【発明の詳細な説明】
【技術分野】
【０００１】
本発明は、ハエトリグサで代表される食虫植物を模した食虫植物模型、及び、食虫植物を鉢植したときの形態を模した食虫植物鉢植え模型に関する。
【背景技術】
【０００２】
従来、食虫植物模型として、特許文献１に記載される食虫植物模型が提案されている。この食虫植物模型は、一対の葉片部を有する葉部に対し、各葉片部の裏面側に蝶番の一方のプレート部を装着し、このプレート部を昇降可能な断面コ字状の支持部材によって下方から支持すると共に、支持部材の内部に配されるアーム部材に蝶番の他方のプレート部を固定しておき、ソレノイドを駆動源として支持部材を上昇させることによって蝶番の上記一方のプレート部を回動させ、一対の葉片部が互いに接近して葉部が閉じるよう構成される。
【先行技術文献】
【特許文献】
【０００３】
【特許文献１】特開２００１−５６６３７公報
【発明の概要】
【発明が解決しようとする課題】
【０００４】
しかし、上記従来の食虫植物模型によると、少なくとも支持部材が外部に露出する構成であるため、外観を損なうことになり、外観を損なわないようにするためには支持部材を隠すための特別な対策が必要とされる。
【０００５】
本発明は、上記のような従来技術の問題点を解決し、食虫植物模型としての外観を損なわず食虫植物の動きに似た動作を行う食虫植物模型を提供し、また、食虫植物を鉢植したときの形態を模した食虫植物鉢植え模型を提供することを目的とし、ひいては、実物を使用しないで食虫植物の捕虫動作を説明するための食虫植物展示会での展示品、小学校等における理科の教材としての利用や、人の心を和やかにし穏やかな気持ちにさせることができる癒し系のグッズとしての利用を図ることができる食虫植物模型及び食虫植物鉢植え模型を提供することを目的とする。
【課題を解決するための手段】
【０００６】
本発明の食虫植物模型は、茎部と、該茎部の先端に配される葉部であって、枢軸部と該枢軸部を挟んで配される一対の葉片部とを有する断面略Ｖ字状の葉部と、該葉部の外形形状に合わせて該葉部の内部に配される蝶番であって、前記葉部の枢軸部に対応する固定軸部と、該固定軸部に連結され、前記一対の葉片部の内部に位置する一対のプレート部であって、前記固定軸部を回転軸として回動することにより互いのなす角度が変化する一対のプレート部とを有する蝶番と、前記一対のプレート部に連結されて前記茎部の内部を通る線状部材であって、制御回路により、前記一対のプレート部に対して閉方向への付勢力を印加する動作が制御される線状部材と、を備えることを基本的特徴とする。
【０００７】
ここで、食虫植物模型は、前記一対の葉片部の各々の内部に位置する導電性部材であって、棘挿通孔を有する導電性部材と、前記棘挿通孔内を前記導電性部材と接触しないように通り、前記一対の葉片部の互いに対向する側の面から突出するよう設けられる弾性変形可能な棘部材であって、弾性変形したとき前記導電性部材と接触し得る導電性弾性部材からなる棘部材と、を備え、前記制御回路は、前記棘部材が外部荷重により弾性変形して前記導電性部材と接触したことを検出すると、前記一対のプレート部に対し閉方向への付勢力を印加するよう前記線状部材の動作を制御する。
【０００８】
前記線状部材は、ループ部と、該ループ部から延びる線部とを有し、前記ループ部は、前記一対のプレート部の各々に穿設された線挿通孔と各プレート部における茎部寄りの端部とを経由するループを描き、前記線部は、前記ループ部の下端部と結線される。
【０００９】
前記線部の端部であって、前記ループ部側に位置しない端部は、固定されていると共に、前記線部の少なくとも一部は、通電により収縮する可変長部により構成され、該可変長部が収縮することに基づき、前記ループ部により、前記一対のプレート部に対し閉方向への付勢力が印加される。
【００１０】
前記制御回路は、前記棘部材が外部荷重により弾性変形して前記導電性部材と接触したことを検出すると、前記線状部材の前記可変長部に対して通電を行い、前記可変長部を収縮させる。
【００１１】
前記可変長部への通電は、前記棘部材と前記導電性部材とが第１回目に接触した第１時点から第１所定時間が経過する前に前記棘部材と前記導電性部材との接触状態が解除されること、及び、前記第１回目の接触が終了した第２時点から第２所定時間が経過する前に前記棘部材と前記導電性部材とが第２回目の接触をすることを条件とし、前記棘部材と前記導電性部材とが前記第２回目の接触をした第３時点で開始される。
【００１２】
前記可変長部への通電は、前記第３時点から第３所定時間が経過した第４時点で停止する。
【００１３】
前記可変長部への通電は、前記第３時点から前記第４時点までの間において、電流値が減少する。
【００１４】
前記第４時点以後において、前記第３時点から第４所定時間が経過するまでの間、前記可変長部への通電は行わない。
【００１５】
前記制御回路は、所定のタイミングで音声発生装置から外部に向けて所定の音声を発生させる。
【００１６】
前記葉部に発光ダイオードを配設し、前記制御回路は、所定のタイミングで、前記発光ダイオードを発光させる。
【００１７】
また、本発明の食虫植物鉢植え模型は、上方へ開口した鉢体と、該鉢体の開口部を塞ぐよう鉢体に付設され、茎挿通孔を有する蓋体と、該蓋体の前記茎挿通孔を通り上方へ延びて配される食虫植物模型と、前記蓋体で塞がれた鉢体の内部に配置され、前記食虫植物模型の動作を制御する制御回路とを備える食虫植物鉢植え模型であって、前記食虫植物模型は、前記蓋体の前記茎挿通孔内を通り上方へ延びる茎部と、該茎部の先端に配される葉部であって、枢軸部と該枢軸部を挟んで配される一対の葉片部とを有する断面略Ｖ字状の葉部と、該葉部の外形形状に合わせて該葉部の内部に配される蝶番であって、前記葉部の枢軸部に対応する固定軸部と、該固定軸部に連結され、前記一対の葉片部の内部に位置する一対のプレート部であって、前記固定軸部を回転軸として回動することにより互いのなす角度が変化する一対のプレート部とを有する蝶番と、前記一対のプレート部に連結されて前記茎部の内部を通る線状部材であって、前記一対のプレート部に対して閉方向への付勢力を印加し得る線状部材と、前記一対の葉片部の各々の内部に位置する導電性部材であって、棘挿通孔を有する導電性部材と、前記棘挿通孔内を前記導電性部材と接触しないように通り、前記一対の葉片部の互いに対向する側の面から突出するよう設けられる弾性変形可能な棘部材であって、弾性変形したとき前記導電性部材と接触し得る導電性弾性部材からなる棘部材と、を備え、前記制御回路は、前記棘部材が外部荷重により弾性変形して前記導電性部材と接触したことを検出すると、前記一対のプレート部に対して閉方向への付勢力を印加するよう前記線状部材の動作を制御することを基本的特徴とする。
【００１８】
ここで、前記食虫植物模型は複数個からなり、前記制御回路は、各々の食虫植物模型の動作を制御する。
【００１９】
前記線状部材は、ループ部と、該ループ部から延びる線部とを有し、前記ループ部は、前記一対のプレート部の各々に穿設された線挿通孔と各プレート部における茎部寄りの端部とを経由するループを描き、前記線部は、前記ループ部の下端部と結線される。
【００２０】
前記線部の端部であって、前記ループ部側に位置しない端部は、固定されていると共に、前記線部の少なくとも一部は、通電により収縮する可変長部により構成され、該可変長部が収縮することに基づき、前記ループ部により、前記一対のプレート部に対し閉方向への付勢力が印加される。
【００２１】
前記制御回路は、前記棘部材が外部荷重により弾性変形して前記導電性部材と接触したことを検出すると、前記線状部材の前記可変長部に対して通電を行い、前記可変長部を収縮させる。
【００２２】
前記可変長部への通電は、前記棘部材と前記導電性部材とが第１回目に接触した第１時点から第１所定時間が経過する前に前記棘部材と前記導電性部材との接触状態が解除されること、及び、前記第１回目の接触が終了した第２時点から第２所定時間が経過する前に前記棘部材と前記導電性部材とが第２回目の接触をすることを条件とし、前記棘部材と前記導電性部材とが前記第２回目の接触をした第３時点で開始される。
【００２３】
前記可変長部への通電は、前記第３時点から第３所定時間が経過した第４時点で停止する。
【００２４】
前記可変長部への通電は、前記第３時点から前記第４時点までの間において、電流値が減少する。
【００２５】
前記第４時点以後において、前記第３時点から第４所定時間が経過するまでの間、前記可変長部への通電は行わない。
【００２６】
前記線状部材の前記可変長部は、前記食虫植物模型の個数と同数の保持板であって、前記鉢体の内部に等間隔で垂直配置された保持板の面上に配される。
【００２７】
前記鉢体の内部に音声発生装置を備え、前記制御回路は、所定のタイミングで前記音声発生装置から外部に向けて所定の音声を発生させる。
【００２８】
前記葉部に発光ダイオードを配設し、前記制御回路は、所定のタイミングで、前記発光ダイオードを発光させる。
【発明の効果】
【００２９】
本発明の食虫植物模型及び食虫植物鉢植え模型によると、蝶番は葉部の内部に配され、線状部材は茎部の内部に挿通されるため、蝶番及び線状部材は外部に露出せず、食虫植物模型としての外観を損なわない。また、線状部材の動作を制御することにより、一対のプレート部を閉方向へ付勢し、葉部を閉じることができるため、ハエを捕獲するときの食虫植物の動きに似た動作を表現することが可能になる。
【００３０】
また、食虫植物の外観及び動きに似た構成及び動作を表現可能になるため、実物を使用しないで食虫植物の捕虫動作を説明するための食虫植物展示会での展示品、小学校等における理科の教材としての利用や、人の心を和やかにし穏やかな気持ちにさせることができる癒し系グッズとしての利用を図ることができる。
【図面の簡単な説明】
【００３１】
【図１】本発明の一実施形態に係る食虫植物鉢植え模型の外観図である。
【図２】同食虫植物鉢植え模型の構成要素である食虫植物模型の基本構成図である。
【図３】同食虫植物模型の葉部の開閉動作の説明図である。
【図４】センサの構造を説明するための断面図である。
【図５】電気配線図である。
【図６】制御回路の処理内容を示すフローチャートである。
【図７】図６図示処理１，２，３の内容を示すフローチャートである。
【図８】メタル（熱収縮性メタル）への通電が行われる場合を説明するためのタイミングチャートである。
【図９】メタル（熱収縮性メタル）への通電が行われない場合を説明するためのタイミングチャートである。
【発明を実施するための形態】
【００３２】
図１図示の食虫植物鉢植え模型は、食虫植物の代表とされるハエトリグサを鉢植した形態を表したものであり、上方へ開口した鉢体１に、ハエトリグサを模した食虫植物模型２を配設し、鉢体１を受皿３の上に載置して構成される。鉢体１には蓋体４が付設され、鉢体１の開口部は蓋体４で塞がれている。蓋体４は、透明、半透明、不透明いずれでもよいが、実際の土に合わせて、土色に着色、表面印刷等されたもの、あるいは、本体部の表面に、表土が描かれた表面シートが貼着されたものが好ましい。また、蓋体４の上面に、苔類を模した部材を盛るようにしてもよい。蓋体４には、１つ又は複数（図１では３つ）の茎挿通孔４ａが形成されており、各々の茎挿通孔４ａには、対応する食虫植物模型２の茎部２０が挿通される。なお、茎挿通孔４ａを１つとし、１つの茎挿通孔４ａから複数の食虫植物模型２の茎部２０が上方へ延びるよう構成してもよい。
【００３３】
各々の食虫植物模型２（本願においては、１つの茎部２０及び葉部３０を有するものを１つの食虫植物模型とする。）は、蓋体４の茎挿通孔４ａ内を通り上方へ延びる茎部２０と、茎部２０の先端に配される断面略Ｖ字状の葉部３０とを備える。
【００３４】
葉部３０は、外面に、ハエトリグサの葉の外形を模したプラスチック製又は布製のシート部材３１を有し、内部に、後述する蝶番３５等を有する。また、葉部３０は、枢軸部３２と、枢軸部３２を挟んで配置された一対の葉片部３３とを有する。シート部材３１の裏側には、ハエトリグサの葉の形状に似せるために適宜詰め物（図示せず。）が配され、立体感が付与される。枢軸部３２の上端部には、発光ダイオード例えば赤色ＬＥＤ３４が配設される。発光ダイオード３４は、一対の葉片部３３の内面を照明可能に配設することが望ましい。
【００３５】
茎部２０は、外面に、ハエトリグサの茎の外形を模したプラスチック製又は布製の茎模型部材２１を有し、茎模型部材２１の内部に、鉢体１側から葉部３０側まで延びるパイプ芯材２２（図２）を有する。パイプ芯材２２は、形状保持性を有する材料例えば銅、真鍮、アルミニウム又はプラスチックなどで構成され、塑性変形可能であってもよい。パイプ芯材２２の鉢体１側の端部は、鉢体１の内部に鉛直状態で配置される線材配線プレート５の上部に固定される。線材配線プレート５は、各々の食虫植物模型２に対応して設けられており、食虫植物模型２が３つからなる場合、蓋体４を外した鉢体１を上方から見たとき、各線材配線プレート５が鉢体１の中心から半径方向へ延びかつ３つの線材配線プレート５が円周方向に等間隔で位置するよう鉢体１の内部に配置される。パイプ芯材２２の鉢体１側の下端部２２ａは、線材配線プレート５の片面５ａにおいて鉢体１の中心近くの上端部に固定される。
【００３６】
図２及び図３に示すように、葉部３０のシート部材３１の内部に、蝶番３５が配される。蝶番３５は、葉部３０の枢軸部３２に対応する固定軸部５１であって、茎部２０のパイプ芯材２２の葉部３０側の上端部２２ｂに固定される固定軸部５１と、固定軸部５１に回動自在に配設され、一対の葉片部３３の内部に位置する一対のプレート部５２と、固定軸部５１に装着されるリターンコイルばね５３とを有する。一対のプレート部５２は、固定軸部５１を回転軸として回動することにより、互いに接近、離隔し、互いのなす角度が変化し得る。リターンコイルばね５３は、一対のプレート部５２を所定の離隔状態に保持し、換言すると、一対のプレート部５２のなす角度を所定角度（９０度前後の角度）に維持し、葉部３０を開状態に維持する作用をすると共に、一対のプレート部５２に対して互いに接近させる方向の付勢力（後述する線状部材３８による付勢力）が加わったとき、一対のプレート部５２を互いに離隔させる方向の付勢力を一対のプレート部５２に対して印加する作用をする。
【００３７】
図２及び図３に示すように、蝶番３５の各プレート部５２の裏面に、プレート部５２の表面積よりも大きな表面積を有する拡張プレート３６が密着して固定され、拡張プレート３６の表面の適宜箇所に面ファスナー３７が貼着される。面ファスナー３７には、シート部材３１の裏面に配設されたフック部（図示せず。）が係止可能とされ、フック部が面ファスナー３７と係止状態となることにより、シート部材３１が拡張プレート３６に固定される。また、各拡張プレート３６の表面側には、上記詰め物が配設される。
【００３８】
図２及び図３に示すように、蝶番３５に、線状部材３８が配設される。線状部材３８は、上側のループ部３９と下側の線部４０とからなり、ループ部３９は、例えば次のような手順を経て形成される。まず、ループ部３９を形成するために、１本のワイヤの一端部３９ａを、パイプ芯材２２の下端部２２ａ側からパイプ芯材２２の内部に通してパイプ芯材２２の上端部２２ｂ側から引出し、次に、蝶番３５の一方のプレート部５２の茎部２０寄りの端部５２ａに係合させて、このプレート部５２の裏面側に回し、このプレート部５２に穿設された線挿通孔５２ｂに通し（本実施形態では、プレート部５２に穿設された線挿通孔５２ｂの裏側に拡張プレート３６が在るため、拡張プレート３６に穿設された線挿通孔３６ａと線挿通孔５２ｂの両方にワイヤの端部３９ａを通すことになる。）、更に、他方のプレート部５２に穿設された線挿通孔５２ｂに通して（上記と同様、本実施形態では、線挿通孔５２ｂと拡張プレート３６の線挿通孔３６ａの両方に通す。）、このプレート部５２の裏面側に回し、このプレート部５２の茎部２０寄りの端部５２ａに係合させてパイプ芯材２２の上端部２２ｂ側からパイプ芯材２２の内部に通してパイプ芯材２２の下端部２２ａ側に引出し、パイプ芯材２２の下端部２２ａ側においてワイヤの他端部３９ｂと結合させて結合部３９ｃを形成する。このような手順を経てループ部３９が形成される。線部４０は、線材配線プレート５の片面５ａ側に位置するよう配され、線部４０の一端部４０ａは、ループ部３９の上記結合部（下端部）３９ｃに結線されると共に、線部４０の他端部４０ｂは、線材配線プレート５の片面５ａにおいて鉢体１の外周側の上端部に固定される。線部４０は、線材配線プレート５の片面５ａに配設された複数の滑車６に弛みをもたないよう掛け渡される。線部４０は、常温で所定の長さ寸法を有し、発熱すると長さが短縮する熱収縮性メタル線材で構成される。線部４０の上記一端部４０ａは、配線（第１配線）７を介して後述する制御回路１００（図５）に接続され、線部４０の上記他端部４０ｂは、配線（第２配線）８を介して制御回路１００に接続される。
【００３９】
更に、図４に示すように、各拡張プレート３６の裏面に、アルミニウム板など導電性プレート（導電性部材）４１が拡張プレート３６に沿って配設され、導電性プレート４１の裏面に、絶縁性プレート４２が導電性プレート４１に沿って配設される。換言すると、拡張プレート３６と導電性プレート４１と絶縁性プレート４２は、三層構造となっている。絶縁性プレート４２の適宜箇所には、複数の導電性スプリング（導電性弾性部材）４３が導電性プレート４１側に略垂直に突出するよう設けられており、導電性プレート４１及び拡張プレート３６には、絶縁性プレート４２から延びる導電性スプリング４３と対向する部位に、それぞれ、導電性スプリング４３を非接触状態で通す棘挿通孔４１ａ、３６ｂが穿設されている。導電性スプリング４３は棘部材を構成しており、導電性スプリング（棘部材）４３は、ハエトリグサの葉の内面から突出している棘を模したものである。導電性スプリング４３は、通常時は略直角の起立状態を保持して導電性プレート４１の棘挿通孔４１ａの周縁部に対して非接触状態を保ち、換言すると、電気的に絶縁状態を維持し、飛来してきたハエが棘に止まったときを想定して外部荷重が加わったとき、弾性変形して導電性プレート４１の棘挿通孔４１ａの周縁部と接触可能になる、換言すると、電気的に導通可能状態となるよう構成される。
【００４０】
一方の葉片部３３の内部に配された絶縁性プレート４２に配設された複数の導電性スプリング４３は、絶縁性プレート４２の裏面側において配線（第３配線）９又は導電線パターン等により電気的に直列接続されて直列回路（第１直列回路）を構成しており、また、他方の葉片部３３の内部に配された絶縁性プレート４２に配設された複数の導電性スプリング４３は、絶縁性プレート４２の裏面側において上記と同様に電気的に直列接続されて直列回路（第２直列回路）を構成しており、第１直列回路と第２直列回路は、配線（第４配線）１０によって互いに電気的に接続される。また、第１直列回路又は第２直列回路には、配線（第５配線）１１の一端部が接続され、第５配線１１の他端部は、パイプ芯材２２の外周面と茎模型部材２１との間を通り、制御回路１００に接続される。
【００４１】
一方の葉片部３３の内部に配された導電性プレート４１と他方の葉片部３３の内部に配された導電性プレート４１は、配線（第６配線）１２によって互いに電気的に接続され、いずれか一方の導電性プレート４１には、配線（第７配線）１３の一端部が接続され、第７配線１３の他端部は、パイプ芯材２２の外周面と茎模型部材２１との間を通り、制御回路１００に接続される。
【００４２】
鉢体１の内部に、マイコンボード（回路基板）１４が１つの線材配線プレート５と平行に配置される。マイコンボード１４には、各々の食虫植物模型２の動作を制御する制御回路１００が搭載される。制御回路１００は、図５に示すように、ＤＣ／ＤＣコンバータ１０１、ワンチップマイコン１０２、入力回路１０３、出力回路１０４などにより構成される。
【００４３】
また、鉢体１の内部には、音声ボード２００が配置される。
【００４４】
鉢体１の環状側壁部の内壁面には、音声ボード２００に電気的に接続され、音声を出力するスピーカー２０１（図５）が配設され、スピーカー２０１の音声出力は鉢体１に穿設された孔１ａから外部に発せられる。鉢体１の環状側壁部には、利用者によって操作され、音声ボード２００とスピーカー２０１との間を導通、遮断するスピーカースイッチ（ＳＷ）２０２が配設され、利用者がスピーカーＳＷ２０２をオフするとスピーカー２０１から音声が出力されず、一方、利用者がスピーカーＳＷ２０２をオンするとスピーカー２０１から音声が出力可能な状態となる。また、鉢体１の環状側壁部には、利用者によって操作され、音声ボード２００に電気的に接続される説明ボタン２０３が配設され、利用者が説明ボタン２０３をオンすると、音声ボード２００から、当該食虫植物鉢植え模型について説明する音声信号がスピーカー２０１に出力され、スピーカー２０１から説明の音声出力が発せられる。また、音声ボード２００には、必要に応じて、マイクスイッチ（ＳＷ）２０４（図５）を介してマイク２０５（図５）が接続される。マイク２０５は、利用者が特定の音声を音声ボード２００に録音する際に使用される。
【００４５】
鉢体１の底部の裏面側の凹部には、電源装置３００のバッテリー３０１が着脱可能に収容され、バッテリー３０１から制御回路１００に直流電源が供給される。鉢体１の環状側壁部の下端部には、商用電源に接続されるコード３０２の端子が接続可能なソケット３０３が配設される。また、鉢体１の環状側壁部の下端部には、商用電源と充電回路３０４（図５）との間を導通すると共にバッテリー３０１と制御回路１００との間を遮断し、バッテリー３０１の充電を行う充電モードと、商用電源と充電回路３０４との間を遮断すると共にバッテリー３０１と制御回路１００との間を導通し、バッテリー３０１から制御回路１００に直流電源を供給して制御回路１００を動作する動作モードとを、選択的に切替える電源スイッチ（ＳＷ）３０５が配設される。
【００４６】
次に、食虫植物鉢植え模型の電気系統を図５に基づいて説明する。
【００４７】
各々の食虫植物模型２（図５では、葉１、葉２、葉３で表わしている。）は、上述したように、導電性スプリング４３と導電性プレート４１の棘挿通孔４１ａの周縁部との接触、非接触を電気的に検出するセンサ１，２，３を有しており、各センサ１，２，３は、第５配線１１及び第７配線１３を介して制御回路１００の入力回路１０３に接続される。また、制御回路１００の入力回路１０３に、説明ボタン２０３が接続される。
【００４８】
また、各々の食虫植物模型２に対応して、熱収縮性メタル線材４０（図５では、単にメタル１、メタル２、メタル３で表している。）が設けられており、各熱収縮性メタル線材４０は、第１配線７及び第２配線８を介して制御回路１００の出力回路１０４に接続される。
【００４９】
また、各々の食虫植物模型２に対応して、発光ダイオード（ＬＥＤ）３４が設けられており、各発光ダイオード３４は、制御回路１００の出力回路１０４に接続される。
【００５０】
電源装置３００は、上述したように、バッテリー３０１、充電回路３０４、電源スイッチ３０５等を備える。電源スイッチ３０５がオフ状態のときに、利用者がコード３０２をソケット３０３に接続すると、商用電源と充電回路３０４が接続状態となり、充電回路３０４によりバッテリー３０１が充電される。その後、利用者が電源スイッチ３０５をオンすると、バッテリー３０１と制御回路１００が接続状態となり、バッテリー３０１の７．２Ｖの電圧が熱収縮性メタル線材４０及び発光ダイオード３４に供給可能になると共に、制御回路１００のＤＣ／ＤＣコンバータ１０１は、バッテリー３０１の７．２Ｖの電圧から５Ｖの電圧を作成し、ワンチップマイコン１０２及び音声ボード２００に供給する。
【００５１】
制御回路１００のワンチップマイコン１０２には、音声ボード２００が接続され、音声ボード２００に、スピーカースイッチ２０２を介してスピーカー２０１が接続され、必要に応じてマイクスイッチ２０４を介してマイク２０５が接続される。
【００５２】
制御回路１００のワンチップマイコン１０２は、電源スイッチ３０５がオンされると、図６に示すように、まず、初期化Ｓ１を行い、以後、処理１、処理２及び処理３を順に繰り返し実行する。
【００５３】
処理１、処理２及び処理３の各内容は、いずれも図７に図示され同一である。このため、以下、処理１の内容のみを説明する。
【００５４】
図７において、まず、熱収縮性メタル線材４０に対して通電が行われているか否かを判定する（Ｓ１１）。
【００５５】
電源スイッチ３０５のオン直後では、未だ通電されていないため、Ｓ１１の判定結果は「ＮＯ」となり、次に、待時間の計測中か否かを判定する（Ｓ１２）。ここで、待時間とは、後述するように、熱収縮性メタル線材４０への通電を開始した時点（第３時点ｔ３）で計測開始される時間であり、食虫植物模型２の葉部３０が閉状態から開き始めて完全に開き切るまでに必要とされる時間に対応する第４所定時間（本実施形態では、例えば１２秒に設定される。）である。
【００５６】
この時点ではＳ１２の判定結果は「ＮＯ」となり、次に、センサ１がオフからオンへスイッチングしたか否かを判定する（Ｓ１３）。
【００５７】
この時点ではＳ１３の判定結果は「ＮＯ」となり、次に、センサ１がオン状態か否かを判定する（Ｓ１４）。
【００５８】
この時点ではＳ１４の判定結果は「ＮＯ」となり、処理１を抜け出る。
【００５９】
以後、処理１においては、Ｓ１１，Ｓ１２，Ｓ１３，Ｓ１４を繰り返し実行する。
【００６０】
その後、導電性スプリング４３に外力が加わり、導電性スプリング４３が弾性変形して導電性プレート４１の棘挿通孔４１ａの周縁部に接触すると、センサ１がオフからオンへスイッチングをするようになるため、Ｓ１３の判定結果は「ＹＥＳ」に反転する。このため、センサ１のオフからオンへのスイッチングが第１回目か否かを判定し（Ｓ１５）、この時点では第１回目であるため、Ｓ１５の判定結果は「ＹＥＳ」となり、次に、経過時間１の計測を開始する（Ｓ１６）。ここで、経過時間１とは、センサ１がオフからオンへの第１回目のスイッチングをした時点（第１時点ｔ１）からの経過時間である。次に、センサ入力つまりセンサ１のオフからオンへのスイッチングの回数をカウントし（Ｓ１７）、処理１を抜け出る。
【００６１】
次回の処理１においては、センサ１は、既にオン状態となっているため、Ｓ１３の判定結果は「ＮＯ」に反転し、次に、センサ１がオン状態か否かを判定し（Ｓ１４）、この判定結果は「ＹＥＳ」であるため、次に、センサ１がオンからオフへスイッチングしたか否かを判定する（Ｓ１８）。この時点では、センサ１はオン状態であるため、Ｓ１８の判定結果は「ＮＯ」となり、次に、経過時間１が第１所定時間（例えば２秒）以下か否かを判定する（Ｓ１９）。ここで、第１所定時間は、センサ１がオフからオンへ第１回目のスイッチングをした時点（第１時点ｔ１）からオン状態を維持している時間に制限を設け、この第１所定時間内にセンサ１がオンからオフへのスイッチングを行わずオン状態が継続した場合には、食虫植物模型２の葉部を閉動作させないようにするための時間である。この時点では、センサ１がオン状態となった直後であるため、Ｓ１９の判定結果は「ＹＥＳ」となり、処理１を抜け出る。
【００６２】
第１時点ｔ１から第１所定時間が経過する前に、導電性スプリング４３への外力が解除され、センサ１がオンからオフへスイッチングした場合、Ｓ１８の判定結果は「ＹＥＳ」に反転し、次に、経過時間２の計測を開始し（Ｓ２０）、処理１を抜け出る。ここで、経過時間２とは、センサ１が第１回目のオンからオフへスイッチングした時点（第２時点ｔ２）からの経過時間である。その後、センサ１がオフからオンへの第２回目のスイッチングをするまでの間、Ｓ１１，Ｓ１２，Ｓ１３，Ｓ１４が繰り返し実行される。
【００６３】
その後、導電性スプリング４３へ再び外力が加わり、第３時点ｔ３でセンサ１がオフからオンへの第２回目のスイッチングをすると、Ｓ１３の判定結果は「ＹＥＳ」に反転し、次に、センサ１のオフからオンへのスイッチングが第１回目か否かを判定し（Ｓ１５）、この時点では、第２回目であるためＳ１５の判定結果は「ＮＯ」となり、次に、経過時間２が第２所定時間（例えば３秒）以下であるか否かを判定する（Ｓ１８）。ここで、第２所定時間は、センサ１がオンからオフへスイッチングをした時点（第２時点ｔ２）からオフ状態を維持している時間に制限を設け、第２所定時間内にセンサ１がオフからオンへのスイッチングを行わずオフ状態が継続した場合には、食虫植物模型２の葉部を閉動作させないようにするための時間である。
【００６４】
センサ１がオフからオンへ第２回目のスイッチングをした時点（第３時点ｔ３）までの経過時間２が第２所定時間以下である場合、Ｓ２１の判定結果は「ＹＥＳ」となり、次に、熱収縮性メタル線材４０への通電を開始し（Ｓ２２）、通電時間の計測を開始し（Ｓ２３）、待時間の計測を開始し（Ｓ２４）、経過時間１及び経過時間２をそれぞれクリアし（Ｓ２５）、発光ダイオード３４を点灯する（Ｓ２６）。熱収縮性メタル線材４０への通電が開始されると、熱収縮性メタル線材４０は、通電により発熱し、熱収縮するようになる。熱収縮性メタル線材４０が熱収縮すると、線状部材３８のループ部３９が下方への付勢力を受けるようになり、蝶番３５のリターンコイルばね５３の付勢力に抗して一対のプレート部５２が互いに接近し、葉部３０が閉じる。また、発光ダイオード３４が点灯する。
【００６５】
次回の処理１においては、熱収縮性メタル線材４０に通電が行われていることから、Ｓ１１の判定結果は「ＹＥＳ」に反転し、通電時間が第３所定時間（例えば３秒）以下か否かを判定し（Ｓ２７）、通電時間が第３所定時間に達するまでの間、Ｓ１１，Ｓ２７を繰り返し実行する。ここで、熱収縮性メタル線材４０への通電電流値は一定でもよいが、時間の経過に従って段階的もしくは連続的に減少させるようにしても、熱収縮性メタル線材４０の収縮動作を担保することが可能であり、この場合、バッテリー３０１の消費電力を抑制することができる。
【００６６】
その後、第３時点ｔ３からの通電時間が第３所定時間に達した第４時点ｔ４で、Ｓ２７の判定結果は「ＮＯ」に反転し、次に、熱収縮性メタル線材４０への通電を停止し（Ｓ２８）、通電時間をクリアする（Ｓ２９）。熱収縮性メタル線材４０への通電停止後においては、熱収縮性メタル線材４０は発熱しなくなり、元の状態まで伸長するようになる。このため、線状部材３８のループ部３９に作用していた下方への付勢力が消失し、リターンコイルばね５３の付勢力によって一対のプレート部５２は互いに離隔し、葉部３０が開くようになる。
【００６７】
次回の処理１においては、熱収縮性メタル線材４０への通電が停止されているため、Ｓ１１の判定結果は「ＮＯ」に反転し、次に、待時間の計測中か否かを判定する（Ｓ１２）。この時点では、待時間の計測が行われていることから、Ｓ１２の判定結果は「ＹＥＳ」となり、次に、待時間が第４所定時間（例えば１２秒）以下か否かを判定し（Ｓ３０）、待時間が第４所定時間に達するまでの間、Ｓ１１、Ｓ１２，Ｓ３０を繰り返し実行する。ここで、第４所定時間は、熱収縮性メタル線材４０への通電を停止してから熱収縮性メタル線材４０が完全に元の状態に伸長し切るまでに必要とする時間に対応している。そして、待時間が第４所定時間に達するまでの間は、上記のようにＳ１１，Ｓ１２，Ｓ３０を繰り返し実行することから、待時間が第４所定時間に達するまでの間に、センサ１がオフからオンへスイッチングしても熱収縮性メタル線材４０への通電は一切行われない。
【００６８】
その後、待時間が第４所定時間に達すると、Ｓ３０の判定結果は「ＮＯ」に反転し、待時間をクリアし（Ｓ３１）、センサ入力のカウントをクリアし（Ｓ３２）、発光ダイオード３４を消灯する（Ｓ３３）。
【００６９】
従って、図８にタイミングチャートで示すように、センサ１がオフからオンへスイッチングした第１時点ｔ１から第１所定時間（２秒）が経過する前にセンサ１がオンからオフへスイッチングし、かつ、センサ１がオンからオフへスイッチングした第２時点ｔ２から第２所定時間（３秒）が経過する前の第３時点ｔ３で、センサ１が再びオフからオンへスイッチングした場合、熱収縮性メタル線材４０への通電が第３時点ｔ３から第３所定時間（３秒）行われ、第３所定時間が経過した第４時点ｔ４で熱収縮性メタル線材４０への通電が停止される。そして、第３時点ｔ３から第４所定時間が経過するまでの間、センサ１がオフからオンへスイッチングしても熱収縮性メタル線材４０への通電制御は一切行われない。
【００７０】
一方、図９に示すように、センサ１がオフからオンへの第１回目のスイッチングをした第１時点ｔ１から、センサ１のオン状態が第１所定時間を超えて継続した場合には、Ｓ１９の判定結果は「ＮＯ」に反転し、経過時間１及び経過時間２がクリアされ（Ｓ３４）、センサ入力のカウントがクリアされ（Ｓ３５）、熱収縮性メタル線材４０への通電は一切行われない。また、図９に示すように、センサ１がオンからオフへスイッチングをした第２時点ｔ２から、第２所定時間が経過した後の第３時点ｔ３でセンサ１がオフからオンへの第２回目のスイッチングをした場合、Ｓ２１の判定結果は「ＮＯ」に反転し、経過時間１及び経過時間２がクリアされ（Ｓ３４）、センサ入力のカウントがクリアされ（Ｓ３５）、熱収縮性メタル線材４０への通電は一切行われない。
【００７１】
上記のように構成される食虫植物鉢植え模型において、利用者が説明ボタン２０３をオンすると、音声ボード２００に予め録音された、当該食虫植物鉢植え模型についての説明や、癒し系の言葉が音声でスピーカー２０１から出力される。
【００７２】
以上説明したように、本実施形態の食虫植物模型２は、茎部２０と、茎部２０の先端に配される葉部３０であって、枢軸部３２と枢軸部３２を挟んで配される一対の葉片部３３とを有する断面略Ｖ字状の葉部３０と、葉部３０の外形形状に合わせて葉部３０の内部に配される蝶番３５であって、葉部３０の枢軸部３２に対応する固定軸部５１と、固定軸部５１に連結され、一対の葉片部３３の内部に位置する一対のプレート部５２であって、固定軸部５１を回転軸として回動することにより互いのなす角度が変化する一対のプレート部５２とを有する蝶番３５と、一対のプレート部５２に連結されて茎部２０の内部を通る線状部材３８であって、制御回路１００により、一対のプレート部５２に対して閉方向への付勢力を印加する動作が制御される線状部材３８とを備える。
【００７３】
本実施形態の食虫植物模型２によると、蝶番３５は葉部３０の内部に配され、線状部材３８は茎部２０の内部に挿通されるため、蝶番３５及び線状部材３８は外部に露出せず、食虫植物模型２としての外観を損なわない。また、線状部材３８の動作を制御することにより、一対のプレート部５２を閉方向へ付勢し、葉部３０を閉じることができるため、ハエを捕獲するときの食虫植物の動きに似た動作を表現することが可能になる。
【００７４】
また、本実施形態の食虫植物模型２は、一対の葉片部３３の各々の内部に位置する導電性プレート（導電性部材）４１であって、棘挿通孔４１ａを有する導電性プレート４１と、棘挿通孔４１ａ内を導電性プレート４１と接触しないように通り、一対の葉片部３３の互いに対向する側の面から突出するよう設けられる弾性変形可能な導電性スプリング（棘部材）４３であって、弾性変形したとき導電性プレート４１と接触し得る導電性弾性部材からなる導電性スプリング４３とを備え、制御回路１００は、導電性スプリング４３が外部荷重により弾性変形して導電性プレート４１と接触したことを検出すると、一対のプレート部５２に対し閉方向への付勢力を印加するよう線状部材３８の動作を制御する。このように、導電性スプリング４３の弾性変形を利用して導電性スプリング４３と導電性プレート４１とを接触させるよう構成したため、ハエがハエトリグサの棘に止まった状態を、導電性スプリング４３の弾性変形によって表現すると共に導電性スプリング４３と導電性プレート４１との接触によって電気的に検知することが可能となり、簡単な構造によって、実際のハエトリグサの動作により近い動作をさせることができる。
【００７５】
また、線状部材３８は、ループ部３９と、ループ部３９から延びる線部４０とを有し、ループ部３９は、一対のプレート部５２の各々に穿設された線挿通孔５２ｂと各プレート部５２における茎部２０寄りの端部５２ａとを経由するループを描き、線部４０は、ループ部３９の下端部３９ｃと結線される。線状部材３８はループ部３９を有し、ループ部３９によって、一対のプレート部５２の茎部２０寄りの端部５２ａに、一対のプレート部５２を互いに接近させる方向の力を作用させることができるため、ループ部３９に加える力が比較的小さくても、一対のプレート部５２に対して比較的大きな力を作用させることが可能になる。
【００７６】
また、線部４０の端部４０ｂであって、ループ部３９側に位置しない端部４０ｂは、固定されていると共に、線部４０の少なくとも一部（本実施形態では全部）は、通電により収縮する熱収縮性メタル線材（可変長部）４０により構成され、熱収縮性メタル線材４０が収縮することに基づき、ループ部３９により一対のプレート部５２に対し閉方向への付勢力が印加される。熱収縮性メタル線材４０を利用することにより、葉部３０を開閉動作する機構を極めて簡素化することができる。
【００７７】
また、制御回路１００は、導電性スプリング４３が外部荷重により弾性変形して導電性プレート４１と接触したことを検出すると、熱収縮性メタル線材４０に対して通電を行い、熱収縮性メタル線材４０を収縮させる。ハエがハエトリグサの棘に止まった状態を、弾性変形した導電性スプリング４３と導電性プレート４１との接触によって電気的に検知し、熱収縮性メタル線材４０を収縮させることにより、ループ部３９及び蝶番３５を介して葉部３０を閉じることができるため、ハエトリグサの棘にハエが止まったときに葉が閉じる実際のハエトリグサの動作を再現することが可能になる。
【００７８】
また、熱収縮性メタル線材４０への通電は、導電性スプリング４３と導電性プレート４１とが第１回目に接触した第１時点ｔ１から第１所定時間が経過する前に導電性スプリング４３と導電性プレート４１との接触状態が解除されること、及び、第２時点ｔ２から第２所定時間が経過する前に導電性スプリング４３と導電性プレート４１とが第２回目の接触をすることを条件とし、導電性スプリング４３と導電性プレート４１とが第２回目の接触をした第３時点ｔ３で開始される。このように熱収縮性メタル線材４０への通電制御を行うことにより、実際のハエトリグサの動作、つまり、最初にハエが棘に止まっただけでは葉が閉じることはなく、比較的短時間の間にハエが２回棘に止まったときに葉が閉じるという動作を再現することができる。
【００７９】
また、熱収縮性メタル線材４０への通電は、第３時点ｔ３から第３所定時間が経過した第４時点ｔ４で停止する。熱収縮性メタル線材４０への通電が停止されると、熱収縮性メタル線材４０は冷却されて元の状態つまり伸長した状態に戻ることができるため、ループ部３９及び蝶番３５を介して葉部３０を開くことができ、実際のハエトリグサの葉が開く動作を再現することができる。
【００８０】
また、熱収縮性メタル線材４０への通電は、第３時点ｔ３から第４時点ｔ４までの間において、電流値が減少する。熱収縮性メタル線材４０への通電電流値を時間の経過に従って段階的もしくは連続的に減少させるようにすると、熱収縮性メタル線材４０の収縮動作を担保しつつ、バッテリー３０１の消費電力を抑制することが可能となる。
【００８１】
また、熱収縮性メタル線材４０への通電を開始した第３時点ｔ３から第４所定時間が経過するまでの間、熱収縮性メタル線材４０への通電は行わない。このような待時間を設けることにより、葉部３０を完全に開かせることができる。
【００８２】
また、制御回路１００は、所定のタイミングで（説明ボタン２０３をオン操作したとき）音声発生装置（音声ボード２００、スピーカー２０１）から外部に向けて所定の音声（当該食虫植物鉢植え模型の説明や癒し系の言葉）を発生させる。この音声により、利用者は、当該食虫植物鉢植え模型の仕組みや操作方法などを知ることができ、また、癒し系の言葉によって癒されるようになる。
【００８３】
また、葉部３０に発光ダイオード３４を配設し、制御回路１００は、所定のタイミングで（熱収縮性メタル線材４０への通電を開始するとき）、発光ダイオード３４を発光させる。発光ダイオード３４が発光させることにより、葉部３０に対する注目度をアップさせることができる。
【００８４】
また、上記構成の食虫植物模型２は、鉢体１に付設される蓋体４の茎挿通孔４ａから上方へ延びるように鉢体１に配設されるため、食虫植物を鉢植したときの形態を模した食虫植物鉢植え模型を提供することが可能になる。
【００８５】
なお、上記実施形態では、パイプ芯材２２の下端部２２ａは略鉛直状態となっているが、パイプ芯材２２全体を水平に近づける方向に傾斜させ、下端部２２ａを傾斜させた状態に設定してもよく、この場合、線状部材３８のループ部３９から下方へ延びる線部４０も下端部２２ａの傾斜に合わせた傾斜状態に設定することが望ましく、このように設定することにより、線部（熱収縮性メタル線材）４０の収縮時にパイプ芯材２２の内周面との摩擦によって線状部材３８が受ける負荷を軽減させることができる。また、上記実施形態では、拡張プレート３６を蝶番３５とは別個の部材として説明したが、拡張プレート３６を蝶番３５の一部として捉えてもよい。
【符号の説明】
【００８６】
１    鉢体
２    食虫植物模型
４    蓋体
２０    茎部
３０    葉部
３２    枢軸部
３３    葉片部
３４    発光ダイオード
３５    蝶番
３８    線状部材
３９    ループ部
３９ｃ    下端部
４０    線部（可変長部、熱収縮性メタル線材）
４０ｂ    端部
４１    導電性プレート（導電性部材）
４１ａ    棘挿通孔
４３    導電性スプリング（棘部材）
５１    固定軸部
５２    プレート部
５２ａ    端部
５２ｂ    棘挿通孔
１００    制御回路
２００    音声ボード
２０１    スピーカー
【図１】
2011128444.tif 000003
【図２】
2011128444.tif 000004
【図３】
2011128444.tif 000005
【図４】
2011128444.tif 000006
【図５】
2011128444.tif 000007
【図６】
2011128444.tif 000008
【図７】
2011128444.tif 000009
【図８】
2011128444.tif 000010
【図９】
2011128444.tif 000011